(57)【特許請求の範囲】
【請求項１】
物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、
短焦点距離端から長焦点距離端への変倍に際し、第１レンズ群と第５レンズ群が像面に対して固定されており、第２レンズ群ないし第４レンズ群が光軸方向に移動し、
次の条件式（１）、（２）を満足することを特徴とするズームレンズ系。
（１）−１．７６＜ｆ４／ｆ１＜−１．４９
（２）５．０＜ｆ４／ｆ２＜８．５
但し、
ｆ１：第１レンズ群の焦点距離、
ｆ２：第２レンズ群の焦点距離、
ｆ４：第４レンズ群の焦点距離。
【請求項２】
物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、
短焦点距離端から長焦点距離端への変倍に際し、第１レンズ群と第５レンズ群が像面に対して固定されており、第２レンズ群ないし第４レンズ群が光軸方向に移動し、
次の条件式（１）、（４）を満足することを特徴とするズームレンズ系。
（１）−１．７６＜ｆ４／ｆ１＜−１．４９
（４）−５．０＜ｆ５／ｆ２≦−２．６３
但し、
ｆ１：第１レンズ群の焦点距離、
ｆ２：第２レンズ群の焦点距離、
ｆ４：第４レンズ群の焦点距離、
ｆ５：第５レンズ群の焦点距離。
【請求項３】
物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、
短焦点距離端から長焦点距離端への変倍に際し、第１レンズ群と第５レンズ群が像面に対して固定されており、第２レンズ群ないし第４レンズ群が光軸方向に移動し、
第４レンズ群は、像側に凸面を向けた負単レンズから構成され、
次の条件式（１）を満足することを特徴とするズームレンズ系。
（１）−１．７６＜ｆ４／ｆ１＜−１．４９
但し、
ｆ１：第１レンズ群の焦点距離、
ｆ４：第４レンズ群の焦点距離。
【請求項４】
請求項３記載のズームレンズ系において、次の条件式（６）、（７）を満足するズームレンズ系。
（６）１．５５＜ＮｄＮ＜１．７５
（７）３０＜νｄＮ＜７０
但し、
ＮｄＮ：第４レンズ群を構成する負単レンズのｄ線に対する屈折率、
νｄＮ：第４レンズ群を構成する負単レンズのｄ線に対するアッベ数。
【請求項５】
物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、
短焦点距離端から長焦点距離端への変倍に際し、第１レンズ群と第５レンズ群が像面に対して固定されており、第２レンズ群ないし第４レンズ群が光軸方向に移動し、
第１レンズ群は、物体側から順に、像側に凹面を向けた負レンズと、物体側に凸面を向けた正レンズと、物体側に凸面を向けた正レンズと、物体側に凸面を向けた正レンズとから構成され、
次の条件式（１）、（８）を満足することを特徴とするズームレンズ系。
（１）−１．７６＜ｆ４／ｆ１＜−１．４９
（８）νｄｐ２≧νｄｐ１＞νｄｐ３
但し、
ｆ１：第１レンズ群の焦点距離、
ｆ４：第４レンズ群の焦点距離、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数。
【請求項６】
物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、
短焦点距離端から長焦点距離端への変倍に際し、第１レンズ群と第５レンズ群が像面に対して固定されており、第２レンズ群ないし第４レンズ群が光軸方向に移動し、
第５レンズ群は、２枚以上の正レンズを含んで構成され、
次の条件式（１）、（９）、（１０）を満足することを特徴とするズームレンズ系。
（１）−１．７６＜ｆ４／ｆ１＜−１．４９
（９）Ｎｐ１−Ｎｐ２＞０．０３
（１０）νａｖｅ＞６８
但し、
ｆ１：第１レンズ群の焦点距離、
ｆ４：第４レンズ群の焦点距離、
Ｎｐ１：第５レンズ群中の正レンズのうち最も物体側に位置する正レンズのｄ線に対する屈折率、
Ｎｐ２：第５レンズ群中の正レンズのうち物体側から２番目に位置する正レンズのｄ線に対する屈折率、
νａｖｅ：第５レンズ群中の正レンズのうち最も物体側に位置する正レンズと物体側から２番目に位置する正レンズのｄ線に対するアッベ数の平均値。
【請求項７】
請求項１ないし６のいずれか１項記載のズームレンズ系において、次の条件式（３）を満足するズームレンズ系。
（３）−４．０＜ｆ４／ｆ５＜−１．５
但し、
ｆ４：第４レンズ群の焦点距離、
ｆ５：第５レンズ群の焦点距離。
【請求項８】
請求項１ないし７のいずれか１項記載のズームレンズ系において、次の条件式（５）を満足するズームレンズ系。
（５）−０．４＜ｆ３／ｆ４＜−０．２
但し、
ｆ３：第３レンズ群の焦点距離、
ｆ４：第４レンズ群の焦点距離。
【請求項９】
請求項１ないし８のいずれか１項記載のズームレンズ系において、第５レンズ群中の最も物体側のレンズと最も像側のレンズとの間に、次の条件式（１１）、（１２）、（１３）を満足するような中間正レンズが位置しているズームレンズ系。
（１１）０．４５＜ＤｎＰ／ＬＤｎ＜０．８
（１２）０．９＜ｆ５／ｆｎＰ＜１．７
（１３）５５＜νｎＰ＜７５
但し、
ＤｎＰ：第５レンズ群中の最も物体側のレンズの物体側の面から中間正レンズの物体側の面までの距離、
ＬＤｎ：第５レンズ群の群厚、
ｆ５：第５レンズ群の焦点距離、
ｆｎＰ：第５レンズ群中の中間正レンズの焦点距離、
νｎＰ：第５レンズ群中の中間正レンズのｄ線に対するアッベ数。
【発明の詳細な説明】
【技術分野】
【０００１】
本発明は、ズームレンズ系に関し、特にデジタルカメラ等の撮像機器に好適な大口径望遠ズームレンズ系に関する。
【背景技術】
【０００２】
特許文献１、２には、正負正負正の５群レンズ構成のズームレンズ系が開示されている。しかし、このズームレンズ系は、各レンズ群のパワーバランスが不適切であるため、歪曲収差や像面湾曲等の諸収差の補正が不十分であった。
【先行技術文献】
【特許文献】
【０００３】
【特許文献１】特開２０１０−１６０２４０号公報
【特許文献２】特開２０１３−１７４７５８号公報
【発明の概要】
【発明が解決しようとする課題】
【０００４】
本発明は、以上の問題意識に基づいてなされたものであり、歪曲収差や像面湾曲等の諸収差を良好に補正することができるズームレンズ系を得ることを目的とする。
【課題を解決するための手段】
【０００５】
本発明のズームレンズ系は、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、短焦点距離端から長焦点距離端への変倍に際し、第１レンズ群と第５レンズ群が像面に対して固定されており、第２レンズ群ないし第４レンズ群が光軸方向に移動し、次の条件式（１）、（２）を満足することを特徴としている。
（１）−１．７６＜ｆ４／ｆ１＜−１．４９
（２）５．０＜ｆ４／ｆ２＜８．５
但し、
ｆ１：第１レンズ群の焦点距離、
ｆ２：第２レンズ群の焦点距離、
ｆ４：第４レンズ群の焦点距離、
である。
【０００７】
条件式（２）が規定する条件範囲の中でも、次の条件式（２’）を満足することが好ましい。
（２’）５．０＜ｆ４／ｆ２＜７．０
【０００８】
本発明のズームレンズ系は、次の条件式（３）を満足することが好ましい。
（３）−４．０＜ｆ４／ｆ５＜−１．５
但し、
ｆ４：第４レンズ群の焦点距離、
ｆ５：第５レンズ群の焦点距離、
である。
【０００９】
条件式（３）が規定する条件範囲の中でも、次の条件式（３’）を満足することが好ましい。
（３’）−３．０＜ｆ４／ｆ５＜−１．８
【００１０】
本発明のズームレンズ系は、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、短焦点距離端から長焦点距離端への変倍に際し、第１レンズ群と第５レンズ群が像面に対して固定されており、第２レンズ群ないし第４レンズ群が光軸方向に移動し、次の条件式（１）、（４）を満足することを特徴としている。
（１）−１．７６＜ｆ４／ｆ１＜−１．４９
（４）−５．０＜ｆ５／ｆ２≦−２．６３
但し、
ｆ１：第１レンズ群の焦点距離、
ｆ２：第２レンズ群の焦点距離、
ｆ４：第４レンズ群の焦点距離、
ｆ５：第５レンズ群の焦点距離、
である。
【００１１】
条件式（４）が規定する条件範囲の中でも、次の条件式（４’）を満足することが好ましい。
（４’）−３．２＜ｆ５／ｆ２＜−２．０
【００１２】
本発明のズームレンズ系は、次の条件式（５）を満足することが好ましい。
（５）−０．４＜ｆ３／ｆ４＜−０．２
但し、
ｆ３：第３レンズ群の焦点距離、
ｆ４：第４レンズ群の焦点距離、
である。
【００１３】
本発明のズームレンズ系は、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、短焦点距離端から長焦点距離端への変倍に際し、第１レンズ群と第５レンズ群が像面に対して固定されており、第２レンズ群ないし第４レンズ群が光軸方向に移動し、第４レンズ群は、像側に凸面を向けた負単レンズから構成され、次の条件式（１）を満足することを特徴としている。
（１）−１．７６＜ｆ４／ｆ１＜−１．４９
但し、
ｆ１：第１レンズ群の焦点距離、
ｆ４：第４レンズ群の焦点距離、
である。
【００１４】
本発明のズームレンズ系は、次の条件式（６）及び条件式（７）を満足することが好ましい。
（６）１．５５＜ＮｄＮ＜１．７５
（７）３０＜νｄＮ＜７０
但し、
ＮｄＮ：第４レンズ群を構成する負単レンズのｄ線に対する屈折率、
νｄＮ：第４レンズ群を構成する負単レンズのｄ線に対するアッベ数、
である。
【００１５】
条件式（６）が規定する条件範囲の中でも、次の条件式（６’）を満足することが好ましい。
（６’）１．５５＜ＮｄＮ＜１．７３
【００１６】
条件式（７）が規定する条件範囲の中でも、次の条件式（７’）を満足することが好ましい。
（７’）４０＜νｄＮ＜５５
【００１７】
本発明のズームレンズ系は、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、短焦点距離端から長焦点距離端への変倍に際し、第１レンズ群と第５レンズ群が像面に対して固定されており、第２レンズ群ないし第４レンズ群が光軸方向に移動し、第１レンズ群は、物体側から順に、像側に凹面を向けた負レンズと、物体側に凸面を向けた正レンズと、物体側に凸面を向けた正レンズと、物体側に凸面を向けた正レンズとから構成され、次の条件式（１）、（８）を満足することを特徴としている。
（１）−１．７６＜ｆ４／ｆ１＜−１．４９
（８）νｄｐ２≧νｄｐ１＞νｄｐ３
但し、
ｆ１：第１レンズ群の焦点距離、
ｆ４：第４レンズ群の焦点距離、
νｄｐ１：第１レンズ群中の正レンズのうち最も物体側に位置する正レンズのｄ線に対するアッベ数、
νｄｐ２：第１レンズ群中の正レンズのうち物体側から２番目に位置する正レンズのｄ線に対するアッベ数、
νｄｐ３：第１レンズ群中の正レンズのうち物体側から３番目に位置する正レンズのｄ線に対するアッベ数、
である。
【００１８】
本発明のズームレンズ系は、物体側から順に、正の屈折力の第１レンズ群と、負の屈折力の第２レンズ群と、正の屈折力の第３レンズ群と、負の屈折力の第４レンズ群と、正の屈折力の第５レンズ群とから構成され、短焦点距離端から長焦点距離端への変倍に際し、第１レンズ群と第５レンズ群が像面に対して固定されており、第２レンズ群ないし第４レンズ群が光軸方向に移動し、第５レンズ群は、２枚以上の正レンズを含んで構成され、次の条件式（１）、（９）、（１０）を満足することを特徴としている。
（１）−１．７６＜ｆ４／ｆ１＜−１．４９
（９）Ｎｐ１−Ｎｐ２＞０．０３
（１０）νａｖｅ＞６８
但し、
ｆ１：第１レンズ群の焦点距離、
ｆ４：第４レンズ群の焦点距離、
Ｎｐ１：第５レンズ群中の正レンズのうち最も物体側に位置する正レンズのｄ線に対する屈折率、
Ｎｐ２：第５レンズ群中の正レンズのうち物体側から２番目に位置する正レンズのｄ線に対する屈折率、
νａｖｅ：第５レンズ群中の正レンズのうち最も物体側に位置する正レンズと物体側から２番目に位置する正レンズのｄ線に対するアッベ数の平均値、
である。
【００１９】
条件式（９）が規定する条件範囲の中でも、次の条件式（９’）を満足することが好ましい。
（９’）Ｎｐ１−Ｎｐ２＞０．０８
【００２０】
条件式（１０）が規定する条件範囲の中でも、次の条件式（１０’）を満足することが好ましい。
（１０’）νａｖｅ＞７２
【００２１】
本発明のズームレンズ系は、第５レンズ群中の最も物体側のレンズと最も像側のレンズとの間に、次の条件式（１１）、条件式（１２）及び条件式（１３）を満足するような中間正レンズを位置させることが好ましい。
（１１）０．４５＜ＤｎＰ／ＬＤｎ＜０．８
（１２）０．９＜ｆ５／ｆｎＰ＜１．７
（１３）５５＜νｎＰ＜７５
但し、
ＤｎＰ：第５レンズ群中の最も物体側のレンズの物体側の面から中間正レンズの物体側の面までの距離、
ＬＤｎ：第５レンズ群の群厚（第５レンズ群の最も物体側の面から最も像側の面までの距離）、
ｆ５：第５レンズ群の焦点距離、
ｆｎＰ：第５レンズ群中の中間正レンズの焦点距離、
νｎＰ：第５レンズ群中の中間正レンズのｄ線に対するアッベ数、
である。
【００２２】
条件式（１１）が規定する条件範囲の中でも、次の条件式（１１’）を満足することが好ましい。
（１１’）０．５５＜ＤｎＰ／ＬＤｎ＜０．８
【００２３】
条件式（１２）が規定する条件範囲の中でも、次の条件式（１２’）を満足することが好ましい。
（１２’）０．９＜ｆ５／ｆｎＰ＜１．５
【００２４】
条件式（１３）が規定する条件範囲の中でも、次の条件式（１３’）を満足することが好ましい。
（１３’）６３＜νｎＰ＜７５
【発明の効果】
【００２５】
本発明によれば、歪曲収差や像面湾曲等の諸収差を良好に補正することができるズームレンズ系が得られる。
【図面の簡単な説明】
【００２６】
【図１】本発明によるズームレンズ系の数値実施例１の短焦点距離端における無限遠合焦時のレンズ構成図である。
【図２】図１の構成における諸収差図である。
【図３】図１の構成における横収差図である。
【図４】同数値実施例１の長焦点距離端における無限遠合焦時のレンズ構成図である。
【図５】図４の構成における諸収差図である。
【図６】図４の構成における横収差図である。
【図７】本発明によるズームレンズ系の数値実施例２の短焦点距離端における無限遠合焦時のレンズ構成図である。
【図８】図７の構成における諸収差図である。
【図９】図７の構成における横収差図である。
【図１０】同数値実施例２の長焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の短焦点距離端における無限遠合焦時のレンズ構成図である。
【図１４】図１３の構成における諸収差図である。
【図１５】図１３の構成における横収差図である。
【図１６】同数値実施例３の長焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の短焦点距離端における無限遠合焦時のレンズ構成図である。
【図２０】図１９の構成における諸収差図である。
【図２１】図１９の構成における横収差図である。
【図２２】同数値実施例４の長焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の短焦点距離端における無限遠合焦時のレンズ構成図である。
【図２６】図２５の構成における諸収差図である。
【図２７】図２５の構成における横収差図である。
【図２８】同数値実施例５の長焦点距離端における無限遠合焦時のレンズ構成図である。
【図２９】図２８の構成における諸収差図である。
【図３０】図２８の構成における横収差図である。
【図３１】本発明によるズームレンズ系のズーム軌跡を示す簡易移動図である。
【発明を実施するための形態】
【００２７】
本実施形態のズームレンズ系は、全数値実施例１−５を通じて、図３１の簡易移動図に示すように、物体側から順に、正の屈折力の第１レンズ群Ｇ１と、負の屈折力の第２レンズ群Ｇ２と、正の屈折力の第３レンズ群Ｇ３と、負の屈折力の第４レンズ群Ｇ４と、正の屈折力の第５レンズ群Ｇ５とから構成されている。第５レンズ群Ｇ５には絞りＳが含まれている（図３１では作図の便宜上第５レンズ群Ｇ５の直前位置に絞りＳを描いている）。Ｉは像面である。
【００２８】
本実施形態のズームレンズ系は、全数値実施例１−５を通じて、図３１の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が増大し、第４レンズ群Ｇ４と第５レンズ群Ｇ５の間隔が減少する。
より具体的に、短焦点距離端から長焦点距離端への変倍に際し、第１レンズ群Ｇ１は像面Ｉに対して固定されており（光軸方向に移動せず）、第２レンズ群Ｇ２ないし第４レンズ群Ｇ４は単調に像側に移動し、第５レンズ群Ｇ５は絞りＳと一緒に像面Ｉに対して固定されている（光軸方向に移動しない）。
なお、第３レンズ群Ｇ３は、短焦点距離端から長焦点距離端への変倍に際し、単調に像側に移動する場合の他、一旦像側に移動した後に長焦点距離端の近傍で若干量だけ物体側に戻る（Ｕターンする）といった非線形軌跡も可能である。
【００２９】
本実施形態のズームレンズ系は、全数値実施例１−５を通じて、図３１の簡易移動図に示すように、第３レンズ群Ｇ３をフォーカスレンズ群としてこれを像側に移動させることで、遠距離物点から近距離物点の方向にフォーカシングを行う（第３レンズ群Ｇ３がフォーカスレンズ群を構成している）。
【００３０】
第１レンズ群Ｇ１は、全数値実施例１−５を通じて、物体側から順に、負レンズ（像側に凹面を向けた負レンズ）１１と、正レンズ（物体側に凸面を向けた正レンズ）１２と、正レンズ（物体側に凸面を向けた正レンズ）１３と、正レンズ（物体側に凸面を向けた正レンズ）１４とからなる。負レンズ１１と正レンズ１２は、数値実施例１−３では接合されており、数値実施例４−５では接合されていない。
【００３１】
第２レンズ群Ｇ２は、全数値実施例１−５を通じて、物体側から順に、正レンズ２１と、負レンズ２２と、負レンズ２３と、正レンズ２４と、負レンズ２５とからなる。正レンズ２１と負レンズ２２は接合されており、負レンズ２３と正レンズ２４は接合されている。
【００３２】
第３レンズ群Ｇ３は、数値実施例１−２では、物体側から順に、正レンズ３１と、負レンズ３２と、正レンズ３３とからなる。負レンズ３２と正レンズ３３は接合されている。
第３レンズ群Ｇ３は、数値実施例３−５では、物体側から順に、正レンズ３１’と、正レンズ３２’と、負レンズ３３’とからなる。正レンズ３２’と負レンズ３３’は接合されている。
【００３３】
第４レンズ群Ｇ４は、全数値実施例１−５を通じて、負単レンズ（像側に凸面を向けた負単レンズ）４１からなる。
【００３４】
第５レンズ群Ｇ５は、数値実施例１−２では、物体側から順に、正レンズ５１と、正レンズ５２と、負レンズ５３と、正レンズ５４と、絞りＳと、正レンズ５５と、負レンズ５６と、正レンズ５７と、負レンズ５８と、正レンズ５９とからなる。負レンズ５３と正レンズ５４は接合されており、正レンズ５５と負レンズ５６は接合されている。
第５レンズ群Ｇ５は、数値実施例３−５では、物体側から順に、絞りＳと、正レンズ５１’と、正レンズ５２’と、負レンズ５３’と、正レンズ５４’と、負レンズ５５’と、正レンズ５６’とからなる。
【００３５】
本実施形態のズームレンズ系は、正負正負正の５群レンズ構成を必須とした上で、各レンズ群のパワー比（パワーバランス）を最適設定することにより、歪曲収差、像面湾曲、球面収差、コマ収差といった諸収差を良好に補正して、優れた光学性能を実現することに成功している。
【００３６】
条件式（１）は、第１レンズ群Ｇ１と第４レンズ群Ｇ４のパワー比（パワーバランス）を規定している。条件式（１）を満足することにより、像面湾曲と歪曲収差を良好に補正することができる。
条件式（１）の上限を超えると、第４レンズ群Ｇ４のパワーが強くなりすぎて、ズーム時の像面湾曲の変動が大きくなってしまう。
条件式（１）の下限を超えると、第１レンズ群Ｇ１のパワーが強くなりすぎて、歪曲収差が大きく発生してしまう。
【００３７】
条件式（２）及び条件式（２’）は、第２レンズ群Ｇ２と第４レンズ群Ｇ４のパワー比（パワーバランス）を規定している。条件式（２）を満足することにより、ズーム時に像面湾曲と歪曲収差を良好に補正することができる。この作用効果は、条件式（２’）を満足することでより顕著に得ることができる。
条件式（２）の上限を超えると、第２レンズ群Ｇ２のパワーが強くなりすぎて、ズーム時の歪曲収差の変動が大きくなってしまう。
条件式（２）及び条件式（２’）の下限を超えると、第４レンズ群Ｇ４のパワーが強くなりすぎて、ズーム時の像面湾曲の変動が大きくなってしまう。
【００３８】
条件式（３）及び条件式（３’）は、第４レンズ群Ｇ４と第５レンズ群Ｇ５のパワー比（パワーバランス）を規定している。条件式（３）を満足することにより、ズーム時に像面湾曲を良好に補正することができる。この作用効果は、条件式（３’）を満足することでより顕著に得ることができる。
条件式（３）の上限を超えると、第４レンズ群Ｇ４のパワーが強くなりすぎて、ズーム時の像面湾曲の変動が大きくなってしまう。
条件式（３）の下限を超えると、第４レンズ群Ｇ４のパワーが弱くなりすぎて、ズーム時の像面湾曲の補正効果が不十分となってしまう。
【００３９】
条件式（４）及び条件式（４’）は、第２レンズ群Ｇ２と第５レンズ群Ｇ５のパワー比（パワーバランス）を規定している。条件式（４）を満足することにより、ズーム時に球面収差とコマ収差と歪曲収差を良好に補正することができる。この作用効果は、条件式（４’）を満足することでより顕著に得ることができる。
条件式（４）の上限を超えると、第５レンズ群Ｇ５のパワーが強くなりすぎて、ズーム全域で球面収差とコマ収差が大きく発生してしまう。
条件式（４）の下限を超えると、第２レンズ群Ｇ２のパワーが強くなりすぎて、ズーム時の歪曲収差の変動が大きくなってしまう。
【００４０】
条件式（５）は、第３レンズ群Ｇ３と第４レンズ群Ｇ４のパワー比（パワーバランス）を規定している。条件式（５）を満足することにより、フォーカス時の性能変化（性能劣化）を抑えつつ、ズーム全域に亘って球面収差とコマ収差を良好に補正することができる。
条件式（５）の上限を超えると、フォーカスレンズ群である第３レンズ群Ｇ３のパワーが強くなりすぎて、フォーカス時の性能変化（性能劣化）が大きくなってしまう。
条件式（５）の下限を超えると、第４レンズ群Ｇ４のパワーが強くなりすぎて、ズーム全域に亘って球面収差とコマ収差の補正が困難になってしまう。
【００４１】
本実施形態のズームレンズ系において、負の屈折力の第２レンズ群Ｇ２は、主たる変倍作用を受け持つ変倍レンズ群として機能しており、この第２レンズ群Ｇ２とは別に、負の屈折力の第４レンズ群Ｇ４を設けることで、ズーム時とフォーカス時の収差変動をより効果的に補正することができる。上述したように、第４レンズ群Ｇ４は、全数値実施例１−５を通じて、負単レンズ（像側に凸面を向けた負単レンズ）４１から構成されている。
【００４２】
条件式（６）及び条件式（６’）は、第４レンズ群Ｇ４を構成する負単レンズ４１のｄ線に対する屈折率を規定しており、条件式（７）及び条件式（７’）は、第４レンズ群Ｇ４を構成する負単レンズ４１のｄ線に対するアッベ数を規定している。
条件式（６）及び条件式（７）を満足することにより、第４レンズ群Ｇ４を最小レンズ枚数（１枚）で構成した上で色収差とコマ収差を効果的に補正することができる。さらに条件式（６’）及び条件式（７’）を満足することにより、色収差とコマ収差の補正効果をさらに高めることができる。
条件式（６）及び条件式（７）を満足しないと、色収差とコマ収差の補正効果が不十分になってしまう。
【００４３】
上述したように、第１レンズ群Ｇ１は、全数値実施例１−５を通じて、物体側から順に、負レンズ（像側に凹面を向けた負レンズ）１１と、正レンズ（物体側に凸面を向けた正レンズ）１２と、正レンズ（物体側に凸面を向けた正レンズ）１３と、正レンズ（物体側に凸面を向けた正レンズ）１４とから構成されている。
【００４４】
条件式（８）は、第１レンズ群Ｇ１中の３枚の正レンズ１２、１３、１４のｄ線に対するアッベ数の大小関係を規定している。色収差（特に長焦点距離端の倍率色収差）の補正には、第１レンズ群Ｇ１中の正レンズに、ｄ線に対するアッベ数が大きい所謂低分散材料を用いるのが好ましい。しかし、一般に低分散材料は屈折率が低いため、球面収差・コマ収差等の補正には不利である。本実施形態のズームレンズ系は、第１レンズ群Ｇ１中の３枚の正レンズ１２、１３、１４のｄ線に対するアッベ数の大小関係を、条件式（８）を満足するように設定することで、色収差・球面収差・コマ収差の補正を両立させることができる。条件式（８）を満足しないと、色収差・球面収差・コマ収差の補正を両立させることができなくなってしまう。
【００４５】
条件式（９）及び条件式（９’）は、第５レンズ群Ｇ５中の最も物体側に位置する正レンズ（５１または５１’）と物体側から２番目に位置する正レンズ（５２または５２’）のｄ線に対する屈折率の差を規定している。第５レンズ群Ｇ５中の最も物体側に位置する正レンズ（５１または５１’）は、球面収差の補正に直結する重要なレンズであるため、これを高屈折率な材料から形成することが好ましい。すなわち、条件式（９）を満足することにより球面収差を良好に補正することができ、さらに条件式（９’）を満足することにより球面収差の補正効果を高めることができる。条件式（９）を満足しないと、球面収差の補正効果が不十分になってしまう。また、第５レンズ群Ｇ５中の物体側から２番目に位置する正レンズ（５２または５２’）は、これをアプラナチックレンズに近い形状とすることでコマ収差の発生を抑えることができる。
【００４６】
条件式（１０）及び条件式（１０’）は、第５レンズ群Ｇ５中の最も物体側に位置する正レンズ（５１または５１’）と物体側から２番目に位置する正レンズ（５２または５２’）のｄ線に対するアッベ数の平均値を規定している。この２枚の正レンズはともに色収差の補正に重要なレンズであるため、ｄ線に対するアッベ数はなるべく大きい方が良い。すなわち、条件式（１０）を満足することにより色収差を良好に補正することができ、さらに条件式（１０’）を満足することにより色収差の補正効果を高めることができる。条件式（１０）を満足しないと、色収差の補正効果が不十分になってしまう。
【００４７】
本実施形態のズームレンズ系は、全数値実施例１−５を通じて、第５レンズ群Ｇ５中の最も物体側に位置する正レンズ（５１または５１’）と最も像側に位置する正レンズ（５９または５６’）との間に、条件式（１１）、条件式（１２）及び条件式（１３）を満足するような中間正レンズ（５７または５４’）を設けている。これにより、少ないレンズ構成でコマ収差・色収差・像面湾曲を効果的に補正することができる。
【００４８】
さらに本実施形態のズームレンズ系は、数値実施例３−５では、第５レンズ群Ｇ５中の最も物体側に位置する正レンズ５１’と最も像側に位置する正レンズ５６’との間に、条件式（１１’）、条件式（１２’）及び条件式（１３’）を満足するような中間正レンズ５４’を設けている。これにより、コマ収差・色収差・像面湾曲の補正効果をより一層高めることができる。
【実施例】
【００４９】
次に具体的な数値実施例１−５を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−５を通じて、非球面レンズは用いていない。
【００５０】
［数値実施例１］
図１〜図６と表１〜表３は、本発明によるズームレンズ系の数値実施例１を示している。図１は短焦点距離端における無限遠合焦時のレンズ構成図、図２はその諸収差図、図３はその横収差図であり、図４は長焦点距離端における無限遠合焦時のレンズ構成図、図５はその諸収差図、図６はその横収差図である。表１は面データ、表２は各種データ、表３はズームレンズ群データである。
【００５１】
本数値実施例１のズームレンズ系は、物体側から順に、正の屈折力の第１レンズ群Ｇ１と、負の屈折力の第２レンズ群Ｇ２と、正の屈折力の第３レンズ群Ｇ３と、負の屈折力の第４レンズ群Ｇ４と、正の屈折力の第５レンズ群Ｇ５とから構成されている。第５レンズ群Ｇ５には絞りＳが含まれており、この絞りＳは、短焦点距離端から長焦点距離端への変倍に際し、第５レンズ群Ｇ５と一緒に像面Ｉに対して固定されている（光軸方向に移動しない）。
【００５２】
第１レンズ群Ｇ１は、物体側から順に、物体側に凸の負メニスカスレンズ（像側に凹面を向けた負レンズ）１１と、物体側に凸の正メニスカスレンズ（物体側に凸面を向けた正レンズ）１２と、両凸正レンズ（物体側に凸面を向けた正レンズ）１３と、物体側に凸の正メニスカスレンズ（物体側に凸面を向けた正レンズ）１４とからなる。負メニスカスレンズ１１と正メニスカスレンズ１２は接合されている。
【００５３】
第２レンズ群Ｇ２は、物体側から順に、両凸正レンズ２１と、両凹負レンズ２２と、両凹負レンズ２３と、物体側に凸の正メニスカスレンズ２４と、両凹負レンズ２５とからなる。両凸正レンズ２１と両凹負レンズ２２は接合されており、両凹負レンズ２３と正メニスカスレンズ２４は接合されている。
【００５４】
第３レンズ群Ｇ３は、物体側から順に、両凸正レンズ３１と、物体側に凸の負メニスカスレンズ３２と、両凸正レンズ３３とからなる。負メニスカスレンズ３２と両凸正レンズ３３は接合されている。
【００５５】
第４レンズ群Ｇ４は、像側に凸の負メニスカス単レンズ（像側に凸面を向けた負単レンズ）４１からなる。
【００５６】
第５レンズ群Ｇ５は、物体側から順に、両凸正レンズ５１と、物体側に凸の正メニスカスレンズ５２と、両凹負レンズ５３と、物体側に凸の正メニスカスレンズ５４と、絞りＳと、像側に凸の正メニスカスレンズ５５と、両凹負レンズ５６と、両凸正レンズ５７と、像側に凸の負メニスカスレンズ５８と、像側に凸の正メニスカスレンズ５９とからなる。両凹負レンズ５３と正メニスカスレンズ５４は接合されており、正メニスカスレンズ５５と両凹負レンズ５６は接合されている。
【００５７】
（表１）
面データ
面番号          R          d          N(d)        ν(d)
1           224.544      2.50       1.75213       38.0
2            87.390      9.11       1.49700       81.6
3           529.927      0.10
4            95.970     10.16       1.43875       95.0
5         -1238.975      0.10
6           129.694      5.28       1.59522       67.7
7           299.998       d7
8           662.168      4.34       1.80610       33.3
9           -81.769      2.00       1.80400       46.6
10           51.675      5.80
11         -302.346      2.00       1.59522       67.7
12           43.471      5.50       1.84666       23.8
13          264.757      3.47
14          -58.403      2.20       1.78800       47.4
15          327.343       d15
16          182.535      4.08       1.76548       37.4
17         -130.951      0.10
18          168.605      1.50       1.84666       23.8
19           54.119      8.32       1.61800       63.4
20          -90.589       d20
21          -74.078      1.80       1.58145       62.0
22         -156.244       d22
23           37.107      7.64       1.53775       74.7
24         -223.693      0.74
25           43.961      5.00       1.49700       81.6
26          139.771      1.64
27         -284.346      2.00       1.83400       37.2
28           41.973      5.44       1.56385       41.0
29         6582.336      0.21
30絞          ∞         2.44
31         -288.620      4.50       1.80518       25.4
32          -35.191      2.00       1.83400       37.2
33           36.632      3.56
34           54.155      5.26       1.51600       59.3
35         -190.072     26.95
36          -25.727      2.40       1.83481       42.7
37          -34.824      0.10
38        -1000.006      3.50       1.80022       25.6
39         -120.432        -
（表２）
各種データ
ズーム比（変倍比）    2.87
短焦点距離端          中間焦点距離          長焦点距離端
FNO.            4.1                   4.1                   4.1
f            102.00                200.01                293.01
W              12.0                   6.1                   4.1
Y             21.64                 21.64                 21.64
fB            38.16                 38.16                 38.16
L            279.45                279.44                279.44
d7             3.49                 44.72                 59.87
d15           21.73                 12.08                  3.00
d20            5.61                 14.44                 14.86
d22           48.70                  8.30                  1.80
（表３）
レンズ群データ
群          始面          焦点距離
1              1            143.67
2              8            -30.85
3             16             58.45
4             21           -244.23
5             23            139.01
【００５８】
［数値実施例２］
図７〜図１２と表４〜表６は、本発明によるズームレンズ系の数値実施例２を示している。図７は短焦点距離端における無限遠合焦時のレンズ構成図、図８はその諸収差図、図９はその横収差図であり、図１０は長焦点距離端における無限遠合焦時のレンズ構成図、図１１はその諸収差図、図１２はその横収差図である。表４は面データ、表５は各種データ、表６はズームレンズ群データである。
【００５９】
この数値実施例２のレンズ構成は、数値実施例１のレンズ構成と同様である。
【００６０】
（表４）
面データ
面番号          R          d          N(d)        ν(d)
1           228.810      2.50       1.75644       38.5
2            87.087      9.11       1.49700       81.6
3           497.653      0.10
4            95.881     10.16       1.43875       95.0
5         -1266.274      0.10
6           132.012      5.21       1.59522       67.7
7           300.000       d7
8           671.932      4.47       1.80610       33.3
9           -77.138      2.00       1.80400       46.6
10           52.126      4.92
11         -346.646      2.00       1.59522       67.7
12           43.470      5.50       1.84666       23.8
13          277.518      3.46
14          -58.495      2.20       1.78800       47.4
15          324.771       d15
16          181.359      4.11       1.76891       39.4
17         -129.882      0.10
18          172.120      1.50       1.84666       23.8
19           54.037      8.32       1.61800       63.4
20          -89.399       d20
21          -74.134      1.80       1.59284       61.2
22         -163.435       d22
23           37.363      7.66       1.53775       74.7
24         -227.038      0.83
25           43.907      5.00       1.49700       81.6
26          142.408      1.65
27         -285.328      2.00       1.83400       37.2
28           42.548      5.87       1.56779       39.4
29        10280.331      0.27
30絞          ∞         2.47
31         -291.361      4.50       1.80518       25.4
32          -35.057      2.00       1.83400       37.2
33           36.455      3.31
34           54.317      3.52       1.51718       55.9
35         -184.209     27.43
36          -25.646      2.40       1.83481       42.7
37          -34.527      0.10
38        -1000.003      3.50       1.80079       27.2
39         -126.422        -
（表５）
各種データ
ズーム比（変倍比）    2.87
短焦点距離端          中間焦点距離          長焦点距離端
FNO.            4.1                   4.1                   4.1
f            102.00                200.00                293.01
W              12.0                   6.1                   4.1
Y             21.64                 21.64                 21.64
fB            38.06                 38.06                 38.06
L            279.36                279.36                279.36
d7             2.82                 46.19                 62.39
d15           21.40                 11.95                  3.00
d20            5.59                 14.15                 14.06
d22           51.44                  8.97                  1.80
（表６）
レンズ群データ
群          始面          焦点距離
1              1            148.77
2              8            -31.65
3             16             58.14
4             21           -230.59
5             23            136.21
【００６１】
［数値実施例３］
図１３〜図１８と表７〜表９は、本発明によるズームレンズ系の数値実施例３を示している。図１３は短焦点距離端における無限遠合焦時のレンズ構成図、図１４はその諸収差図、図１５はその横収差図であり、図１６は長焦点距離端における無限遠合焦時のレンズ構成図、図１７はその諸収差図、図１８はその横収差図である。表７は面データ、表８は各種データ、表９はズームレンズ群データである。
【００６２】
この数値実施例３のレンズ構成は、以下の点を除いて、数値実施例１、２のレンズ構成と同様である。
（１）第２レンズ群Ｇ２の正レンズ２１が像側に凸の正メニスカスレンズである。
（２）第３レンズ群Ｇ３が、物体側から順に、両凸正レンズ３１’と、像側に凸の正メニスカスレンズ３２’と、像側に凸の負メニスカスレンズ３３’とからなる。正メニスカスレンズ３２’と負メニスカスレンズ３３’は接合されている。
（３）第５レンズ群Ｇ５が、物体側から順に、絞りＳと、両凸正レンズ５１’と、物体側に凸の正メニスカスレンズ５２’と、両凹負レンズ５３’と、両凸正レンズ５４’と、像側に凸の負メニスカスレンズ５５’と、両凸正レンズ５６’とからなる。
【００６３】
（表７）
面データ
面番号          R          d          N(d)        ν(d)
1           771.165      2.85       1.75249       34.6
2            90.132      8.76       1.49700       81.6
3           372.727      8.01
4           145.705      8.80       1.49700       81.6
5          -331.430      0.20
6            87.823      8.88       1.59522       67.7
7           969.953       d7
8         -1778.851      6.36       1.85912       34.3
9           -50.872      1.30       1.77290       45.4
10           65.908      3.75
11         -256.417      1.30       1.61800       62.2
12           43.956      6.35       1.80518       25.4
13         5674.976      3.12
14          -63.970      1.30       1.81184       45.5
15          157.551       d15
16          219.107      5.45       1.80400       46.6
17          -79.715      0.36
18         -341.413      5.67       1.49700       81.6
19          -52.088      1.30       1.84666       23.8
20          -88.436       d20
21          -70.019      1.40       1.71907       41.4
22         -138.183       d22
23絞           ∞        0.00
24           39.669      7.38       1.60300       65.5
25         -360.930      0.10
26           42.610      5.28       1.49700       81.6
27          106.076      1.73
28         -370.391      1.40       1.69809       40.1
29           40.540     27.23
30           92.085      4.52       1.59522       67.7
31          -92.085      6.85
32          -33.284      1.20       1.80400       46.6
33          -99.401      0.20
34          199.401      3.41       1.80518       25.4
35        -5381.650        -
（表８）
各種データ
ズーム比（変倍比）    2.69
短焦点距離端          中間焦点距離          長焦点距離端
FNO.            2.9                   2.9                   2.9
f             72.10                100.00                194.00
W              17.2                  12.2                   6.2
Y             21.64                 21.64                 21.64
fB            40.01                 40.01                 40.01
L            249.32                249.32                249.32
d7             2.18                 20.14                 43.92
d15           27.91                 21.91                  2.10
d20            5.74                  9.07                 19.34
d22           32.53                 17.25                  3.00
（表９）
レンズ群データ
群          始面          焦点距離
1              1            120.86
2              8            -35.01
3             16             67.32
4             21           -199.11
5             24             92.13
【００６４】
［数値実施例４］
図１９〜図２４と表１０〜表１２は、本発明によるズームレンズ系の数値実施例４を示している。図１９は短焦点距離端における無限遠合焦時のレンズ構成図、図２０はその諸収差図、図２１はその横収差図であり、図２２は長焦点距離端における無限遠合焦時のレンズ構成図、図２３はその諸収差図、図２４はその横収差図である。表１０は面データ、表１１は各種データ、表１２はズームレンズ群データである。
【００６５】
この数値実施例４のレンズ構成は、以下の点を除いて、数値実施例１、２のレンズ構成と同様である。
（１）第１レンズ群Ｇ１の負メニスカスレンズ１１と正メニスカスレンズ１２が接合されていない。
（２）第２レンズ群Ｇ２において、正レンズ２１が像側に凸の正メニスカスレンズであり、正レンズ２４が両凸正レンズである。
（３）第３レンズ群Ｇ３が、物体側から順に、両凸正レンズ３１’と、像側に凸の正メニスカスレンズ３２’と、像側に凸の負メニスカスレンズ３３’とからなる。正メニスカスレンズ３２’と負メニスカスレンズ３３’は接合されている。
（４）第５レンズ群Ｇ５が、物体側から順に、絞りＳと、両凸正レンズ５１’と、物体側に凸の正メニスカスレンズ５２’と、両凹負レンズ５３’と、両凸正レンズ５４’と、像側に凸の負メニスカスレンズ５５’と、像側に凸の正メニスカスレンズ５６’とからなる。
【００６６】
（表１０）
面データ
面番号          R          d          N(d)        ν(d)
1           302.414      2.30       1.83400       37.2
2            84.846      0.24
3            87.270      8.48       1.49700       81.6
4           348.810      0.30
5            93.927     11.61       1.43875       95.0
6          -304.078      0.20
7            89.362      7.29       1.59522       67.7
8           335.379       d8
9          -523.303      5.09       1.90366       31.3
10          -58.773      1.40       1.81600       46.6
11           55.864      4.76
12         -142.387      1.33       1.59522       67.7
13           47.858      6.14       1.80518       25.5
14         -297.446      2.48
15          -62.923      1.10       1.83481       42.7
16          288.954       d16
17          192.402      5.65       1.80400       46.6
18          -67.359      0.20
19         -188.034      5.29       1.49700       81.6
20          -47.686      1.35       1.84666       23.8
21          -93.255       d21
22          -57.152      1.50       1.61340       44.3
23         -103.110       d23
24絞           ∞        1.20
25           35.792      8.56       1.59522       67.7
26         -471.926      0.46
27           35.774      5.02       1.43875       95.0
28          114.080      1.68
29         -365.946      1.30       1.78590       44.2
30           34.807     17.71
31           85.718      5.77       1.59522       67.7
32          -94.917     11.15
33          -29.005      1.30       1.81600       46.6
34          -98.542      0.22
35         -190.567      3.35       1.90366       31.3
36          -63.651        -
（表１１）
各種データ
ズーム比（変倍比）    2.70
短焦点距離端          中間焦点距離          長焦点距離端
FNO.            2.9                   2.9                   2.9
f             71.97                100.00                194.00
W              17.2                  12.2                   6.2
Y             21.64                 21.64                 21.64
fB            40.02                 40.02                 40.02
L            245.22                245.22                245.22
d8             3.43                 21.42                 44.85
d16           27.11                 21.76                  4.00
d21            8.41                 11.02                 20.82
d23           32.52                 17.27                  1.80
（表１２）
レンズ群データ
群          始面          焦点距離
1              1            120.95
2              9            -32.81
3             17             66.89
4             22           -211.67
5             25             92.11
【００６７】
［数値実施例５］
図２５〜図３０と表１３〜表１５は、本発明によるズームレンズ系の数値実施例５を示している。図２５は短焦点距離端における無限遠合焦時のレンズ構成図、図２６はその諸収差図、図２７はその横収差図であり、図２８は長焦点距離端における無限遠合焦時のレンズ構成図、図２９はその諸収差図、図３０はその横収差図である。表１３は面データ、表１４は各種データ、表１５はズームレンズ群データである。
【００６８】
この数値実施例５のレンズ構成は、数値実施例４のレンズ構成と同様である。
【００６９】
（表１３）
面データ
面番号          R          d          N(d)        ν(d)
1           284.981      2.30       1.83400       37.2
2            80.213      0.20
3            81.057      8.62       1.49700       81.6
4           300.000      0.50
5            94.614     11.57       1.43875       95.0
6          -274.209      0.20
7            84.888      7.74       1.59522       67.7
8           354.044       d8
9          -685.283      5.19       1.90366       31.3
10          -56.726      1.40       1.81600       46.6
11           56.726      5.17
12         -106.259      1.33       1.59282       68.6
13           50.357      6.21       1.80518       25.4
14         -223.458      2.25
15          -63.763      1.10       1.83481       42.7
16          213.349       d16
17          165.322      6.21       1.80400       46.6
18          -68.979      0.20
19         -270.455      6.64       1.49700       81.6
20          -46.780      1.35       1.84666       23.8
21          -93.561       d21
22          -59.854      1.50       1.61340       44.3
23         -138.244       d23
24絞           ∞        1.20
25           35.217      8.18       1.59522       67.7
26         -576.720      1.82
27           35.653      4.58       1.43875       95.0
28           95.396      1.82
29         -304.825      1.30       1.78590       44.2
30           35.879     16.47
31           83.169      5.83       1.59522       67.7
32          -83.169     10.52
33          -28.225      1.30       1.81600       46.6
34         -102.912      0.20
35         -463.847      3.66       1.90366       31.3
36          -73.218        -
（表１４）
各種データ
ズーム比（変倍比）    2.69
短焦点距離端          中間焦点距離          長焦点距離端
FNO.            2.9                   2.9                   2.9
f             72.09                100.00                194.00
W              17.2                  12.3                   6.2
Y             21.64                 21.64                 21.64
fB            40.05                 40.05                 40.05
L            243.70                243.70                243.71
d8             3.34                 19.94                 41.62
d16           27.03                 21.66                  4.00
d21            8.32                 10.85                 20.67
d23           29.40                 15.64                  1.80
（表１５）
レンズ群データ
群          始面          焦点距離
1              1            115.56
2              9            -31.77
3             17             62.84
4             22           -173.35
5             25             89.75
【００７０】
各数値実施例の各条件式に対する値を表１６に示す。
（表１６）
実施例１      実施例２      実施例３
条件式（１）     -1.70         -1.55         -1.65
条件式（２）      7.92          7.29          5.69
条件式（３）     -1.76         -1.69         -2.16
条件式（４）     -4.51         -4.30         -2.63
条件式（５）     -0.24         -0.25         -0.34
条件式（６）     1.581         1.593         1.719
条件式（７）     62.00         61.24         41.37
条件式（８）
νｄｐ１         81.55         81.55         81.55
νｄｐ２         94.94         94.94         81.55
νｄｐ３         67.73         67.73         67.73
条件式（９）      0.04          0.04          0.11
条件式（１０）   78.13         78.13         73.50
条件式（１１）    0.48          0.49          0.73
条件式（１２）    1.69          1.67          1.18
条件式（１３）   59.31         55.91         67.73
実施例４      実施例５
条件式（１）     -1.75         -1.50
条件式（２）      6.45          5.46
条件式（３）     -2.30         -1.93
条件式（４）     -2.81         -2.82
条件式（５）     -0.32         -0.36
条件式（６）     1.613         1.613
条件式（７）     44.27         44.27
条件式（８）
νｄｐ１         81.55         81.55
νｄｐ２         94.94         94.94
νｄｐ３         67.73         67.73
条件式（９）      0.16          0.16
条件式（１０）   81.34         81.34
条件式（１１）    0.61          0.61
条件式（１２）    1.20          1.27
条件式（１３）   67.73         67.73
【００７１】
表１６から明らかなように、数値実施例１〜数値実施例５は、条件式（１）〜条件式（１３）を満足している。また、諸収差図及び横収差図から明らかなように、諸収差及び横収差は比較的よく補正されている。
【００７２】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００７３】
Ｇ１  正の屈折力の第１レンズ群
１１  負レンズ（像側に凹面を向けた負レンズ）
１２  正レンズ（物体側に凸面を向けた正レンズ）
１３  正レンズ（物体側に凸面を向けた正レンズ）
１４  正レンズ（物体側に凸面を向けた正レンズ）
Ｇ２  負の屈折力の第２レンズ群
２１  正レンズ
２２  負レンズ
２３  負レンズ
２４  正レンズ
２５  負レンズ
Ｇ３  正の屈折力の第３レンズ群（フォーカスレンズ群）
３１  正レンズ
３２  負レンズ
３３  正レンズ
３１’  正レンズ
３２’  正レンズ
３３’  負レンズ
Ｇ４  負の屈折力の第４レンズ群
４１  負レンズ（像側に凸面を向けた負単レンズ）
Ｇ５  正の屈折力の第５レンズ群
５１  正レンズ
５２  正レンズ
５３  負レンズ
５４  正レンズ
５５  正レンズ
５６  負レンズ
５７  正レンズ（中間正レンズ）
５８  負レンズ
５９  正レンズ
５１’  正レンズ
５２’  正レンズ
５３’  負レンズ
５４’  正レンズ（中間正レンズ）
５５’  負レンズ
５６’  正レンズ
Ｓ  開口絞り
Ｉ  像面
【図１】
0006439365.tif 000002
【図２】
0006439365.tif 000003
【図３】
0006439365.tif 000004
【図４】
0006439365.tif 000005
【図５】
0006439365.tif 000006
【図６】
0006439365.tif 000007
【図７】
0006439365.tif 000008
【図８】
0006439365.tif 000009
【図９】
0006439365.tif 000010
【図１０】
0006439365.tif 000011
【図１１】
0006439365.tif 000012
【図１２】
0006439365.tif 000013
【図１３】
0006439365.tif 000014
【図１４】
0006439365.tif 000015
【図１５】
0006439365.tif 000016
【図１６】
0006439365.tif 000017
【図１７】
0006439365.tif 000018
【図１８】
0006439365.tif 000019
【図１９】
0006439365.tif 000020
【図２０】
0006439365.tif 000021
【図２１】
0006439365.tif 000022
【図２２】
0006439365.tif 000023
【図２３】
0006439365.tif 000024
【図２４】
0006439365.tif 000025
【図２５】
0006439365.tif 000026
【図２６】
0006439365.tif 000027
【図２７】
0006439365.tif 000028
【図２８】
0006439365.tif 000029
【図２９】
0006439365.tif 000030
【図３０】
0006439365.tif 000031
【図３１】
0006439365.tif 000032